(57)【特許請求の範囲】
【請求項１】
端末保護方法であって、前記方法は端末に適用されるとともに、前記方法は、
空気圧センサによって収集される空気圧変化値を取得するステップであって、前記空気圧変化値は、防水膜が水圧によって変形する場合に生成されるとともに、前記防水膜は、気密筐体の表面上に設けられる、ステップと、
前記空気圧変化値を事前設定された空気圧変化閾値と比較するステップと、
前記空気圧変化値が前記事前設定された空気圧変化閾値を超過する場合に、遮断命令を生成するステップであって、前記遮断命令は、前記端末のメインボード回路の電源回路を遮断するために使用される、ステップと、
を有する方法。
【請求項２】
前記空気圧センサは、前記気密筐体の内部に設けられる、請求項１に記載の方法。
【請求項３】
前記遮断命令が、前記端末のメインボード回路の電源回路を遮断するために使用されることは、前記メインボード回路の処理回路をトリガして、前記メインボード回路を前記電源回路から切断するように、前記遮断命令が前記端末の前記メインボード回路の前記処理回路に送信されることを含む、請求項１または２に記載の方法。
【請求項４】
前記遮断命令が、前記端末のメインボード回路の電源回路を遮断するために使用されることは、前記メインボード回路の前記電源回路をトリガして、前記メインボード回路を処理回路から切断するように、前記遮断命令が前記端末の前記メインボード回路の前記電源回路に送信されることを含む、請求項１または２に記載の方法。
【請求項５】
前記気密筐体は、前記端末の表面上又は前記端末内部の空洞中に設けられる、請求項１から４のいずれか１項に記載の方法。
【請求項６】
端末保護装置であって、前記装置は、
空気圧センサによって収集される空気圧変化値を取得するように構成される取得部であって、前記空気圧変化値は、防水膜が水圧によって変形する場合に生成されるとともに、前記防水膜は、気密筐体の表面上に設けられる、取得部と、
前記空気圧変化値を事前設定された空気圧変化閾値と比較するように構成される比較部と、
前記空気圧変化値が前記事前設定された空気圧変化閾値を超過する場合に、遮断命令を生成するように構成され、前記遮断命令は、端末のメインボード回路の電源回路を遮断するために使用される、遮断部と、
を有する端末保護装置。
【請求項７】
前記遮断部は、第１送信サブユニットを有し、前記第１送信サブユニットは、前記端末の前記メインボード回路の処理回路に前記遮断命令を送信するように構成される、請求項６に記載の端末保護装置。
【請求項８】
前記遮断部は、第２送信サブユニットを有し、前記第２送信サブユニットは、前記端末の前記メインボード回路の前記電源回路に前記遮断命令を送信するように構成される、請求項６に記載の端末保護装置。
【請求項９】
空気圧センサとプロセッサとを有する端末保護電子デバイスであって、
前記空気圧センサは、空気圧変化値を収集するように構成され、前記空気圧変化値は、気密筐体の表面上の防水膜が水圧によって変形する場合に生成され、
前記プロセッサは、前記空気圧センサによって収集される前記空気圧変化値を取得し、前記空気圧変化値を事前設定された空気圧変化閾値と比較し、前記空気圧変化値が前記事前設定された空気圧変化閾値を超過する場合に、遮断命令を生成するように構成され、前記遮断命令は、端末のメインボード回路の電源回路を遮断するために使用される、
端末保護電子デバイス。
【請求項１０】
前記空気圧センサは、前記気密筐体の内部に設けられる、請求項９に記載の端末保護電子デバイス。
【請求項１１】
前記プロセッサは、バスを使用することによって、前記空気圧センサに接続されるとともに、前記空気圧センサは、前記バスを使用することによって、前記収集された空気圧変化値を前記プロセッサに送信する、請求項９に記載の端末保護電子デバイス。
【発明の詳細な説明】
【技術分野】
【０００１】
本発明は、電子端末通信の分野に関するとともに、特に、端末保護方法、装置及び電子デバイスに関する。
【背景技術】
【０００２】
科学及び技術の急速な発展に伴い、携帯電話やタブレットコンピュータのような端末デバイスが広く適用されている。ユーザは、コミュニケーションやエンターテイメントのような、様々なアクティビティを行うために、これらの端末デバイスを使用することができる。
【０００３】
本発明を研究する過程において、既存の端末デバイスは防水機能を持たず、その結果、端末デバイスが水中に落ちた後、端末デバイスのメインボード回路上で短絡が発生する。
【発明の概要】
【課題を解決するための手段】
【０００４】
これを考慮して、本発明の態様の目的は、端末が水中に落ちた後、端末のメインボード回路上で発生する短絡の問題を解決するために、端末保護方法、装置及び電子デバイスを提供することである。
【０００５】
前述の目的を達成するために、本発明の態様は、以下の技術的解決手段を提供する。
【０００６】
本発明の態様の第１構成に基づいて、端末保護方法が提供され、前記方法は端末に適用されるとともに、前記方法は、
空気圧センサによって収集される空気圧変化値を取得するステップと、
空気圧変化値を事前設定された空気圧変化閾値と比較するステップと、
空気圧変化値が事前設定された空気圧変化閾値を超過する場合に、遮断命令を生成するステップであって、遮断命令は、端末のメインボード回路の電源回路を遮断するために使用される、ステップと、
を有する。
【０００７】
第１構成を参照すると、第１可能実施方法において、空気圧変化値は、防水膜が水圧によって変形する場合に生成されるとともに、防水膜は、気密筐体の表面上に設けられる。
【０００８】
第１構成の第１可能実施方法を参照すると、第２可能実施方法において、空気圧センサは気密筐体の内部に設けられる。
【０００９】
第１構成か、第１構成の第１可能実施方法か、又は第１構成の第２可能実施方法を参照すると、第３可能実施方法において、遮断命令が、端末のメインボード回路の電源回路を遮断するために使用されることは、メインボード回路の処理回路をトリガして、メインボード回路を電源回路から切断するように、遮断命令が端末のメインボード回路の処理回路に送信されることである。
【００１０】
第１構成か、第１構成の第１可能実施方法か、又は第１構成の第２可能実施方法を参照すると、第４可能実施方法において、遮断命令が、端末のメインボード回路の電源回路を遮断するために使用されることは、メインボード回路の電源回路をトリガして、メインボード回路を処理回路から切断するように、遮断命令が端末のメインボード回路の電源回路に送信されることである。
【００１１】
第１構成か、第１構成の第１可能実施方法か、第１構成の第２可能実施方法か、第１構成の第３可能実施方法か、又は第１構成の第４可能実施方法を参照すると、第５可能実施方法において、気密筐体は、端末の表面上又は端末内部の空洞中に設けられる。
【００１２】
本発明の態様の第２構成に基づいて、端末保護装置が提供され、前記装置は、
空気圧センサによって収集される空気圧変化値を取得するように構成される取得部と、
空気圧変化値を事前設定された空気圧変化閾値と比較するように構成される比較部と、
空気圧変化値が事前設定された空気圧変化閾値を超過する場合に、遮断命令を生成するように構成され、遮断命令は、端末のメインボード回路の電源回路を遮断するために使用される、遮断部と、
を有する。
【００１３】
第２構成を参照すると、第１可能実施方法において、遮断部は、第１送信サブユニットを有し、前記第１送信サブユニットは、端末のメインボード回路の処理回路に遮断命令を送信するように構成される。
【００１４】
第２構成を参照すると、第２可能実施方法において、遮断部は、第２送信サブユニットを有し、前記第２送信サブユニットは、端末のメインボード回路の電源回路に遮断命令を送信するように構成される。
【００１５】
本発明の態様の第３構成に基づいて、空気圧センサとプロセッサとを有する端末保護電子デバイスが提供され、
空気圧センサは、気密筐体内部に設けられるとともに、気密筐体内部の空気圧変化値を収集するように構成され、空気圧変化値は、気密筐体の表面上の防水膜が水圧によって変形する場合に生成され、
プロセッサは、空気圧センサによって収集される空気圧変化値を取得し、空気圧変化値を事前設定された空気圧変化閾値と比較し、空気圧変化値が事前設定された空気圧変化閾値を超過する場合に、遮断命令を生成するように構成され、遮断命令は、端末のメインボード回路の電源回路を遮断するために使用される。
【００１６】
第３構成を参照すると、第１可能実施方法において、プロセッサは、バスを使用することによって、空気圧センサに接続されるとともに、空気圧センサは、バスを使用することによって、収集された空気圧変化値をプロセッサに送信する。
【００１７】
本発明は、端末保護方法を提供し、前記方法は端末に適用される。端末には空気圧センサが設けられ、空気圧センサは端末内の空気圧変化値を収集する。本発明において提供される端末保護方法では、空気圧センサによって収集される空気圧変化値が取得され、空気圧変化値を事前設定された空気圧変化閾値と比較することによって、端末が水中に落ちたかどうかが決定される。空気圧変化値が事前設定された空気圧変化閾値を超過する場合に、端末が水中に落ちたことを示し、この場合に、端末のメインボード回路の電源回路を遮断するために遮断命令が生成される。それによって、端末が水中に落ちた後、メインボード回路中に流れ込む水によって引き起こされる短絡を防ぐ。
【図面の簡単な説明】
【００１８】
本発明の実施形態における技術的解決手段をより明確に説明するために、以下では、実施形態又は従来技術を説明するために必要とされる添付図面を簡潔に紹介する。明らかに、以下の説明における添付図面は、単に本発明において記録されるいくつかの実施形態を示すものであるとともに、当業者は、創造的努力なしに、これらの添付図面からさらに他の図面を導き出すことができる。
【００１９】
【図１】図１は、本発明の実施形態に係る端末の概略構成図である。
【図２】図２は、本発明の実施形態に係る端末保護方法のフローチャートである。
【図３】図３は、本発明の実施形態に係る端末保護装置の概略構成図である。
【図４】図４は、本発明の他の実施形態に係る端末保護装置の概略構成図である。
【図５】図５は、本発明の実施形態に係る端末保護電子デバイスの概略構成図である。
【図６】図６は、本発明の実施形態に係る端末保護電子デバイスの他の概略構成図である。
【発明を実施するための形態】
【００２０】
当業者が、本発明における解決手段をより良く理解するために、以下では、本発明の実施形態における添付図面を参照して、本発明の実施形態における技術的解決手段を明確且つ十分に説明する。明らかに、説明される実施形態は、本発明の実施形態の全てではなく単なる一部である。創造的努力なしに、本発明の実施形態に基づいて当業者によって得られる全ての他の実施形態は、本発明の保護範囲に包含されるものとする。
【００２１】
本発明の実施形態は端末保護方法を提供し、前記方法は、端末に適用される。端末は、携帯電話又はタブレットコンピュータのような端末デバイスであってもよい。図１は、本発明の実施形態に係る端末の概略構成図である。端末００１には気密筐体００２が設けられ、気密筐体００２は、端末００１の表面上又は端末００１内部の空洞中に設けられてもよい。図１は、気密筐体００２が、端末００１内部の空洞中に設けられていることを示している。気密筐体００２の表面には防水膜００３が設けられ、防水膜００３は、気密筐体００２の筐体の壁の一部を形成する。空気圧センサ００４は、気密筐体００２内部に設けられるとともに、気密筐体００２内の空気圧変化値を収集するように構成される。空気圧センサ００４は、バスを使用することによって、端末００１内のプロセッサ００５に接続される。
【００２２】
図２は、本発明の実施形態に係る端末保護方法のフローチャートである。図２に示されるように、前記方法は以下のステップを有する。
【００２３】
ステップS２０１：空気圧センサによって収集される空気圧変化値を取得する。
【００２４】
本発明の実施形態において提供される端末保護方法では、端末が水中に落ちたとき、気密筐体の表面上の防水膜が水圧によって変形して、気密筐体の内部に向かって移動し、その結果、気密筐体内部の空間が減少し、空気圧変化が生じる。気密筐体内部に設けられる空気圧センサは、気密筐体内部の空気圧変化値を収集して、プロセッサに接続されるバスを使用することによって、収集された空気圧変化値をプロセッサに送信する。
【００２５】
ステップS２０２：空気圧変化値を事前設定された空気圧変化閾値と比較する。
【００２６】
本発明の実施形態において提供される端末保護方法では、空気圧センサによって収集される空気圧変化値が取得された後、取得された空気圧変化値は、事前設定された空気圧変化閾値と比較される。
【００２７】
前記空気圧変化閾値は、端末が納品されるときに、工場出荷時の設定によって事前設定されてもよい。空気圧変化値の利用可能な値の範囲もまた、ユーザのために提供されてもよく、その結果、ユーザが設定を行う。
【００２８】
本発明の他の実施形態では、端末が水中に落ちたとき、様々な外的要因が原因で、例えば、端末が水中に落ちる高さや、端末が水中に落ちるときに端末が水中に入る角度が原因で、空気圧センサによって収集される気密筐体内部の空気圧変化値は、端末が水中に入るときの瞬間で異なる場合がある。本発明の実施形態では、水中に落ちる端末上で複数の試験が実行され、その結果、空気圧変化区間[0,Δa)を取得するために、異なる要因に基づいて、端末が水中に落ちるときに複数の空気圧変化値が取得されるとともに、最小空気圧変化値Δaは、複数の空気圧変化値から選択される。
【００２９】
本発明の実施形態では、空気圧値は、区間[0,Δa)からランダムに選択されることができるとともに、事前設定された空気圧変化閾値として使用されることができる。
【００３０】
本発明の実施形態では、気密筐体内部の空気圧変化値は、防水膜が水圧によって変形する場合に生成される。以下では、防水膜の変形に基づいて空気圧変化値を検出する方法を説明するための実施例を使用する。
【００３１】
前記気密筐体が設けられた端末が水中に落ちない状態においては、気密筐体内部の空気圧の初期値は、大気圧の値a1である。
【００３２】
前記気密筐体が設けられた端末が水中に落ちた後、気密筐体内部の空気圧の値はa2である。従って、端末が水中に落ちたとき、気密筐体内部の空気圧変化値は、a2-a1である。
【００３３】
前記空気圧変化値a2-a1及び事前設定された空気圧変化閾値が取得された後、空気圧変化値は、事前設定された空気圧変化閾値と比較される。
【００３４】
ステップS２０３：空気圧変化値が事前設定された空気圧変化閾値を超過する場合に、遮断命令を生成する。遮断命令は、端末のメインボード回路の電源回路を遮断するために使用される。
【００３５】
本発明の実施形態では、遮断命令は、空気圧変化値が事前設定された空気圧変化閾値を超過することが比較によって分かった場合、メインボード回路の処理回路をトリガして、メインボード回路を電源回路から切断するように、端末のメインボード回路の処理回路に送信されてもよい。遮断命令はまた、電源回路をトリガして、メインボード回路を処理回路から切断するように、端末のメインボード回路の電源回路に送信されてもよい。このようにして、端末が水中に落ちたとき、端末のメインボード回路は、タイムリーに電源を切られることが確保され、それによって、端末が水中に落ちたために、端末のメインボード回路中に流れ込む水によって引き起こされる短絡を防ぐ。
【００３６】
図２における方法の実施形態に基づいて、本発明の実施形態は、さらに、端末保護装置を提供する。前記装置は、携帯電話又はタブレットコンピュータのような、端末デバイスであってもよい。前記装置の概略構成図は、図３に示される。前記装置は、
空気圧センサによって収集される空気圧変化値を取得するように構成される取得部３０１と、
空気圧変化値を事前設定された空気圧変化閾値と比較するように構成される比較部３０２と、
空気圧変化値が事前設定された空気圧変化閾値を超過する場合に、遮断命令を生成するように構成され、遮断命令は、端末のメインボード回路の電源回路を遮断するために使用される、遮断部３０３と、
を有する。
【００３７】
本発明の実施形態における端末保護装置では、取得部３０１は、空気圧センサによって収集される空気圧変化値を取得する。比較部３０２は、空気圧変化値を事前設定された空気圧変化閾値と比較するとともに、比較結果を遮断部３０３に送信する。遮断部３０３は、空気圧変化値が事前設定された空気圧変化閾値を超過する場合に、遮断命令を生成し、遮断命令は、端末のメインボード回路の電源回路を遮断するために使用される。それによって、端末が水中に落ちたとき、メインボード回路中に流れ込む水によって引き起こされる短絡を防ぐ。
【００３８】
本発明の実施形態において提供される端末保護装置の他の概略構成図は、図４に示される。遮断部３０３は、第１送信サブユニット３０４を有し、前記第１送信サブユニット３０４は、端末のメインボード回路の処理回路に遮断命令を送信するように構成される。
【００３９】
遮断部３０３は、さらに、第２送信サブユニット３０５を有してもよく、前記第２送信サブユニット３０５は、端末のメインボード回路の電源回路に遮断命令を送信するように構成される。
【００４０】
本発明の実施形態において提供される端末保護装置では、遮断命令が生成された後、メインボード回路の処理回路をトリガして、メインボード回路を電源回路から切断するように、遮断部３０３は、第１送信サブユニット３０４を使用することによって、端末のメインボード回路の処理回路に、遮断命令を送信してもよいか、又は、電源回路をトリガして、メインボード回路を処理回路から切断するように、遮断部３０３は、第２送信サブユニット３０５を使用することによって、端末のメインボード回路の電源回路に、遮断命令を送信してもよい。このようにして、端末が水中に落ちたとき、端末のメインボード回路は、タイムリーに電源を切られることが確保され、それによって、端末が水中に落ちたために、端末のメインボード回路中に流れ込む水によって引き起こされる短絡を防ぐ。
【００４１】
本発明の実施形態は、さらに、端末保護電子デバイスを提供し、前記電子デバイスは、携帯電話又はタブレットコンピュータのような、端末デバイスであってもよい。電子デバイス４０１の概略構成図は、図５に示される。電子デバイス４０１は、空気圧センサ４０４とプロセッサ４０５とを有する。
【００４２】
前記空気圧センサ４０４は、気密筐体４０２内部に設けられるとともに、気密筐体４０２の表面には、防水膜４０３が設けられる。
【００４３】
前記空気圧センサ４０４は、気密筐体４０２内部の空気圧変化値を収集するように構成され、空気圧変化値は、防水膜４０３が水圧によって変形する場合に生成される。
【００４４】
前記プロセッサ４０５は、空気圧センサ４０４によって収集される空気圧変化値を取得し、空気圧変化値を事前設定された空気圧変化閾値と比較し、空気圧変化値が事前設定された空気圧変化閾値を超過する場合に、遮断命令を生成するように構成され、遮断命令は、端末のメインボード回路４０６の電源回路を遮断するために使用される。
【００４５】
図５は、本発明の実施形態に係る、端末が水中に落ちる前の、端末の概略構成図である。図６は、本発明の実施形態に係る、端末が水中に落ちた後の、端末の概略構成図である。図５及び図６に示されるように、電子デバイス４０１は、気密筐体４０２と、防水膜４０３と、空気圧センサ４０４と、プロセッサ４０５と、メインボード回路４０６とを有する。
【００４６】
前記電子デバイス４０１が水中に落ちる前、気密筐体４０２内部の空気圧の初期値は、P1であり、P1は、大気圧の値であってもよい。図６に示されるように、電子デバイス４０１が水中に落ちたとき、防水膜４０３は、水圧下で、図６における破線の位置から実線の位置まで下方へ移動する。結果として、気密筐体４０２内部の容積が減少し、その結果、気密筐体４０２内部の空気圧の値は、P2まで増加する。気密筐体４０２内部に設けられる空気圧センサ４０４は、気密筐体４０２内部の空気圧変化値ΔP=P2-P1を収集する。
【００４７】
前記プロセッサ４０５は、空気圧変化値ΔPを取得し、ΔPを、事前設定された空気圧変化閾値と比較し、ΔPが、事前設定された空気圧変化閾値よりも大きい場合に、端末のメインボード回路４０６の電源回路を遮断するために、遮断命令を生成する。
【００４８】
本発明の実施形態では、気密筐体４０２は、電子デバイス４０１の表面上又は電子デバイス４０１内部の空洞中に設けられてもよい。
【００４９】
本発明の実施形態において提供される端末では、プロセッサ４０５は、バスを使用することによって、空気圧センサ４０４に接続されてもよいとともに、空気圧センサ４０４は、バスを使用することによって、収集された空気圧変化値をプロセッサ４０５に送信する。プロセッサ４０５はまた、無線接続によって空気圧センサ４０４に接続されてもよく、例えば、空気圧センサ４０４及びプロセッサ４０５は、端末内のBluetooth（登録商標）モジュールに接続されてもよいとともに、空気圧センサ４０４によって収集される空気圧変化値は、Bluetooth（登録商標）モジュールを使用することによって、無線方式で送信される。特定の実施方法は、具体的には、本発明の実施形態において限定はされない。
【００５０】
本明細書における実施形態は、全て、実施形態における同一又は同様の部分に対して、累進的な方法で説明され、参照はこれらの実施形態に対して行われてもよく、各実施形態は、他の実施形態との相違点に焦点を合わせている。前述の説明は、単に本発明の特定の実施方法である。当業者は、本発明の原理を逸脱することなく、いくつかの改良及び改善を行うことができるとともに、改良及び改善は、本発明の保護範囲内に包含されるものであることが留意されるべきである。
【符号の説明】
【００５１】
００１  端末
００２  気密筐体
００３  防水膜
００４  空気圧センサ
００５  プロセッサ
３０１  取得部
３０２  比較部
３０３  遮断部
３０４  第１送信サブユニット
３０５  第２送信サブユニット
４０１  電子デバイス
４０２  気密筐体
４０３  防水膜
４０４  空気圧センサ
４０５  プロセッサ
４０６  メインボード回路
【図１】
0005948672.tif 000002
【図２】
0005948672.tif 000003
【図３】
0005948672.tif 000004
【図４】
0005948672.tif 000005
【図５】
0005948672.tif 000006
【図６】
0005948672.tif 000007